(57)【特許請求の範囲】
【請求項１】
ファンにより強制的に空気流が形成される元通風路の下流端が第１の通風路と第２の通風路とに分岐する分岐位置に設けられて、前記元通風路からの空気流を前記第１の通風路と前記第２の通風路とに切り換えて案内する風路切換装置において、
前記第１の通風路と前記第２の通風路との下流側境界に配置した回動軸により前記分岐位置に回動自在に支持されたダンパと、該ダンパの回動を駆動する駆動手段とを備え、
前記ダンパは、前記第２の通風路を閉塞したときに前記元通風路の内壁面と前記第１の通風路の内壁面とを段差なく滑らかに連続させて該第１の通風路に空気流を案内する第１案内面と、前記第１の通風路を閉塞したときに前記元通風路の内壁面と前記第２の通風路の内壁面とを段差なく滑らかに連続させて該第２の通風路に空気流を案内する第２案内面とを備え、
前記ダンパの前記第１案内面と前記第２案内面とは、前記回動軸と反対側の端部同士が互いに離間する形状に形成されており、
前記ダンパは、更に、前記回動軸による回動方向への変形を防止すべく、前記第１案内面と前記第２案内面との少なくとも一方に突出して前記回動軸の軸線に交差する方向に延びる補強片を備えることを特徴とする風路切換装置。
【発明の詳細な説明】
【技術分野】
【０００１】
本発明は、通風路を切り換える風路切換装置に関する。
【背景技術】
【０００２】
近年、浴室暖房乾燥機においては、温風を浴室内に送るために設けられている送風ファンを換気用のファンとしても利用することが行われている。この場合、浴室暖房乾燥機には、暖房用通風路と換気用通風路とを切り換えるための風路切換装置が設けられる。
【０００３】
この種の風路切換装置は、ファンにより強制的に空気流が形成される元通風路の下流端が暖房用通風路と換気用通風路とに分岐する分岐位置にダンパを備えている。ダンパは、浴室暖房を行う場合には換気用通風路を閉じ、浴室からの換気を行う場合には暖房用通風路を閉じるように回動する。
【０００４】
ダンパは、その一側端縁に軸線が位置する回動軸により回動自在とされている。ダンパの回動は、モータ等（駆動手段）により駆動される（例えば特許文献１参照）。
【先行技術文献】
【特許文献】
【０００５】
【特許文献１】特開２００７−１０７８４８号
【発明の概要】
【発明が解決しようとする課題】
【０００６】
ところで、暖房用通風路と換気用通風路とは互いに異なる方向に延びるが、元通風路における空気の流動方向に対して換気用通風路が略直線上に沿って延びる場合には、暖房用通風路は、元通風路における空気の流動方向に対して交差方向に屈曲して延びる。
【０００７】
このため、従来では、図３Ａに示すように、換気用通風路２１を閉塞したときに元通風路２２からの空気の流れが暖房用通風路２３に向かって滑らかに屈曲するように、ダンパ２４を湾曲板状に形成することが行われる。
【０００８】
しかし、元通風路２２から暖房用通風路２３に向かう空気流に適した形状のダンパ２４を採用すると、図３Ｂに示すように、換気のために暖房用通風路２３を閉塞したとき、ダンパ２４の隆起する面（元通風路２２から暖房用通風路２３に空気流を案内する面の裏側面）が換気用通風路２１の一部となる。このため、元通風路２２とダンパ２４との接続部分に大きな段差による窪み２５が形成されて空気流が乱れる。この空気流の乱れの影響により、換気用通風路２１における空気流の通過抵抗が増加して比較的大きな空気の流動音が生じるだけでなく、窪み２５で負圧となった場合には空気流がダンパ２４を引き上げるように作用してダンパ２４にバタつきが生じることもあり、換気の際に異音や騒音が生じる不都合があった。
【０００９】
上記の点に鑑み、本発明は、分岐位置での異音や騒音の発生を低減することができる風路切換装置を提案することを目的とする。
【課題を解決するための手段】
【００１０】
かかる目的を達成するために、本発明は、  ファンにより強制的に空気流が形成される元通風路の下流端が第１の通風路と第２の通風路とに分岐する分岐位置に設けられて、前記元通風路からの空気流を前記第１の通風路と前記第２の通風路とに切り換えて案内する風路切換装置において、前記第１の通風路と前記第２の通風路との下流側境界に配置した回動軸により前記分岐位置に回動自在に支持されたダンパと、該ダンパの回動を駆動する駆動手段とを備え、前記ダンパは、前記第２の通風路を閉塞したときに前記元通風路の内壁面と前記第１の通風路の内壁面とを段差なく滑らかに連続させて該第１の通風路に空気流を案内する第１案内面と、前記第１の通風路を閉塞したときに前記元通風路の内壁面と前記第２の通風路の内壁面とを段差なく滑らかに連続させて該第２の通風路に空気流を案内する第２案内面とを備え、前記ダンパの前記第１案内面と前記第２案内面とは、前記回動軸と反対側の端部同士が互いに離間する形状に形成されており、前記ダンパは、更に、前記回動軸による回動方向への変形を防止すべく、前記第１案内面と前記第２案内面との少なくとも一方に突出して前記回動軸の軸線に交差する方向に延びる補強片を備えることを特徴とする。
【００１１】
本発明の風路切換装置のダンパは、互いに表裏関係となる第１案内面と第２案内面とを備えている。第１案内面は、ダンパが第２の通風路を閉塞したときに元通風路からの空気流を第１の通風路に向かって案内する。第２案内面は、ダンパが第１の通風路を閉塞したときに元通風路からの空気流を第２の通風路に向かって案内する。
【００１２】
ダンパの第１案内面と第２案内面とは、回動軸と反対側の端部同士が互いに離間する形状に形成されている。これにより、第１案内面が元通風路の内壁面と第１の通風路の内壁面とを段差なく滑らかに連続するように形成されていても、第２案内面を元通風路の内壁面と第２通風路の内壁面とを段差なく滑らかに連続させる形状に形成することができる。よって、本発明によれば、ダンパが第２の通風路を閉塞したときの第１の通風路への空気の流れと、ダンパが第１の通風路を閉塞したときの第２の通風路への空気の流れとが、何れの場合であっても、円滑に行われるので、分岐位置での異音や騒音の発生を低減することができる。
【００１４】
更に、ダンパに上記構成による補強片を設けることで、ダンパの変形に伴うバタつきが防止でき、異音や騒音の発生を一層確実に低減することができる。
【図面の簡単な説明】
【００１５】
【図１】本発明の一実施形態である風路切換装置の概略構成を示す図。
【図２】本実施形態におけるダンパの第１案内面の平面図。
【図３】従来の風路切換装置の概略構成を示す図。
【発明を実施するための形態】
【００１６】
本発明の一実施形態を図面に基づいて説明する。図１Ａ及び図１Ｂに示すように、本発明による風路切換装置１は浴室暖房乾燥機２に組み込まれている。
【００１７】
浴室暖房乾燥機２の構成を説明する。図１Ａ及び図１Ｂに示すように、浴室暖房乾燥機２は、浴室の天井３に埋め込むようにして取り付けられた機体４を備え、機体４の下面が天井３に形成した開口５を通して浴室に臨んでいる。
【００１８】
機体４の下面には、吸込み口６と吹出し口７とが共に下向きに形成されている。吹出し口７は横長矩形状に形成されており、吹出し口７には吹出し口７に対応する形状のルーバー８が設けられている。
【００１９】
機体４内には、ファン９を収容した元通風路１０と、元通風路１０に連通する暖房用通風路１１（第１の通風路）及び換気用通風路１２（第２の通風路）とが形成されている。暖房用通風路１１と換気用通風路１２は、元通風路１０の下流端から二股に分岐して夫々異なる方向の下流に延びている。
【００２０】
元通風路１０の上流端は吸込み口６となっている。暖房用通風路１１の下流端は、吹出し口７となっている。換気用通風路１２の下流端は、排出口１３となっている。排出口１３は、屋外で開放する図外のダクトに接続される。
【００２１】
吹出し口７の上流側の近傍には、加熱手段１４が設けられている。加熱手段１４は、図外の熱源機から供給される温水を流す放熱器で構成されている。
【００２２】
ファン９は吸込み口６から元通風路１０に浴室内の空気を強制的に吸込んで暖房用通風路１１や換気用通風路１２に向かう気流を生成する。
【００２３】
暖房用通風路１１と換気用通風路１２との分岐位置には、本発明による風路切換装置１が設けられている。
【００２４】
風路切換装置１の構成を説明する。図１Ａ及び図１Ｂに示すように、風路切換装置１は、暖房用通風路１１と換気用通風路１２との分岐位置に設けられ、ダンパ１５と、ダンパ１５を回動自在とする回動軸１６と、ダンパ１５の回動を駆動するモータ１７（駆動手段）とを備えている。
【００２５】
ダンパ１５は、図１Ａ及び図１Ｂに示すように、第１案内面１８と、第１案内面１８の裏側となる第２案内面１９とを備えている。
【００２６】
ダンパ１５は、図１Ａに示すように、換気用通風路１２を閉塞したとき、第１案内面１８が暖房用通風路１１の一部となって元通風路１０から暖房用通風路１１に向かう空気流を案内する。暖房用通風路１１における空気流の案内方向は、元通風路１０における空気流の案内方向に対して下方に屈曲している。しかし、このとき、第１案内面１８の上流側端縁が、元通風路１０の下流側端縁に段差なく当接して元通風路１０の内壁面に連続し、更に、滑らかに湾曲して暖房用通風路１１の内壁面に連続しているため、元通風路１０からの空気流は、暖房用通風路１１に向かって円滑に案内される。これにより、元通風路１０から暖房用通風路１１に向かう空気流の影響による音の発生が極めて小さい。
【００２７】
また、ダンパ１５は、図１Ｂに示すように、暖房用通風路１１を閉塞したとき、第２案内面１９が換気用通風路１２の一部となって換気用通風路１２に向かう空気流を案内する。ダンパ１５の第２案内面１９は、第１案内面１８の裏側に位置しているが、回動軸１６と反対側の端部が第１案内面１８の端部から離間する形状となっているので、第１案内面１８の形状に殆ど影響を受けることがない。これにより、第２案内面１９の上流側端縁が、元通風路１０の内壁面と換気用通風路１２の内壁面とを段差なく滑らかに連続させることができ、元通風路１０から換気用通風路１２に向かう空気流の影響による音の発生が極めて小さい。
【００２８】
また、ダンパ１５の第１案内面１８には、図１Ａ及び図２に示すように、複数の補強片２０が設けられている。各補強片２０は、夫々が回動軸１６の軸線に交差する方向に延びている。各補強片２０の配列方向は、回動軸１６の軸線に沿っており、互いに所定の間隔を存して配列されている。
【００２９】
複数の補強片２０が設けられていることにより、ダンパ１５の撓み等の変形を確実に防止することができる。しかも、各補強片２０が暖房用通風路１１に向かう空気流を阻害することもない。よって、空気流を案内しているときにダンパ１５から発する異音や騒音を抑えることができる。なお、図示しないが、第２案内面１９に補強片を設けてもよい。
【００３０】
以上のように、本実施形態の風路切換装置１によれば、第１案内面１８と、一端が第１案内面１８から離間する第２案内面１９とを備えるダンパ１５により、換気用通風路１２を閉塞して元通風路１０から暖房用通風路１１への空気流の案内が円滑に行えるだけでなく、暖房用通風路１１を閉塞して元通風路１０から換気用通風路１２への空気流の案内も円滑に行って空気流に伴う異音や騒音の発生を確実に低減することができる。
【００３１】
なお、本実施形態として浴室暖房乾燥機２に組み込まれた風路切換装置１について説明したが、上記構成の風路切換装置１は、浴室暖房乾燥機２以外の機器類にも組み込むことが可能であり、上記構成のダンパ１５によって同様の効果を得ることができる。
【符号の説明】
【００３２】
１…風路切換装置、９…ファン、１０…元通風路、１１…暖房用通風路（第１の通風路）、１２…換気用通風路（第２の通風路）、１５…ダンパ、１６…回動軸、１７…モータ（駆動手段）、１８…第１案内面、１９…第２案内面、２０…補強片。
【図１】
0006464041.tif 000002
【図２】
0006464041.tif 000003
【図３】
0006464041.tif 000004